(57)【特許請求の範囲】
【請求項１】
光源を収納するように構成されているケーシングと、
前記ケーシングに対して進退可能に構成され、前記光源により、背面側から透過照明される操作体と、を備え、
前記ケーシングは、前記光源を囲むように形成されている第１外周壁と、前記第１外周壁の内方に位置するように形成されている第１内周壁と、前記第１外周壁に設けられている第１ガイド部と、前記第１内周壁に設けられている第２ガイド部と、を有し、
前記操作体は、前記第１ガイド部と摺動可能に係合する第１係合部が設けられている第２外周壁と、前記第２ガイド部と摺動可能に係合する第２係合部が設けられている第２内周壁と、を有し、
前記第１ガイド部と前記第１係合部とのクリアランスよりも、前記第２ガイド部と前記第２係合部とのクリアランスの方が小さい、プッシュスイッチ。
【請求項２】
前記第２内周壁内に導光体が嵌入され、前記導光体の端部に対向して前記光源が配置されている、請求項１に記載のプッシュスイッチ。
【請求項３】
前記第２ガイド部と前記第２係合部は、それぞれ、リブで構成されていて、互いに対向するように配設されている、請求項１又は２に記載のプッシュスイッチ。
【請求項４】
前記第２ガイド部は前記ケーシングの底面から前記操作体の進退方向に延伸し、
前記第２ガイド部及び前記第２係合部の少なくとも一方には、潤滑剤が塗布されていて、前記ケーシングの底面における前記第２ガイド部の周縁部には、凹部が形成されている、請求項１〜３のいずれか１項に記載のプッシュスイッチ。
【請求項５】
前記光源は第１光源と第２光源で構成され、前記第１光源は第２内周壁に囲まれる領域に対向して配置され、前記第２光源は、前記第１内周壁又は前記第２内周壁により、前記第１光源と光学的に隔離するように配置されている、請求項１〜４のいずれか１項に記載のプッシュスイッチ。
【請求項６】
前記第１内周壁には、２つ以上の前記第２ガイド部が設けられていて、
一対の前記第２ガイド部が、前記ケーシングの長手方向に沿って並ぶように配設されている、請求項１〜５のいずれか１項に記載のプッシュスイッチ。
【発明の詳細な説明】
【技術分野】
【０００１】
本発明は、各種電子機器に使用されるプッシュスイッチの構造に関するものである。
【背景技術】
【０００２】
カーオーディオ機器等の電子機器に用いるスイッチとして、操作ボタン前面の表示部を夜間等に背面側から照明するプッシュスイッチが知られている。このようなプッシュスイッチでは、表示部に文字等を照明する光源からの光と、インジケータを照明する光源からの光と、が、互いの照明部分に漏れないようにするために、遮光板（遮光壁）等が設けられている。
【０００３】
操作ボタンの操作を円滑にすると共に、光漏れを防止することを目的とした、照光式スイッチ装置が知られている（例えば、特許文献１参照）。特許文献１に開示されている照光式スイッチ装置では、ケーシングと内部に遮光壁が形成された外筒部（操作体；操作ボタン）のいずれか一方に上下方向に延びるように設けられたガイドレールと、他方に設けた上下方向に延びるように設けられた凹溝と、を係合させることで上下動が案内され、操作体の操作を円滑に行うことができるとしている。
【０００４】
また、特許文献１に開示されている照光式スイッチ装置では、遮光壁の両側部分を外筒部の外側へ延長させた部分をガイドレールとなるように構成することで、一方の光源から照射され、ケーシングと外筒部との隙間に進んだ光が、他方の光源が照明する側の領域に漏れることを抑制できるとしている。
【先行技術文献】
【特許文献】
【０００５】
【特許文献１】特開２００９−１１７０３８号公報
【発明の概要】
【発明が解決しようとする課題】
【０００６】
しかしながら、上記特許文献１に開示されている照光式スイッチ装置であっても、スイッチ装置が大きくなると、経時変化あるいは温度や湿度などの周囲環境による構成部品の寸法変化が大きくなる。特に、ガイドレールと凹溝は、ケーシングの外周壁と外筒部に形成されているため、各ガイドレール間の距離が大きくなる。このため、寸法変化による影響が顕著となり、ガイドレールと凹溝との間のクリアランスが大きくする必要があり、操作体を操作するときに、がたつきが生じ、円滑に操作できないおそれがあった。
【０００７】
本発明は、上記課題を鑑みてなされたものであり、操作体の操作を円滑に行うことができる、プッシュスイッチを提供することを目的とする。
【課題を解決するための手段】
【０００８】
上記従来の課題を解決するために、本発明に係るプッシュスイッチは、光源を収納するように構成されているケーシングと、前記ケーシングに対して進退可能に構成され、前記光源により、背面側から透過照明される操作体と、を備え、前記ケーシングは、前記光源を囲むように形成されている第１外周壁と、前記第１外周壁の内方に位置するように形成されている第１内周壁と、前記第１外周壁に設けられている第１ガイド部と、前記第１内周壁に設けられている第２ガイド部と、を有し、前記操作体は、前記第１ガイド部と摺動可能に係合する第１係合部が設けられている第２外周壁と、前記第２ガイド部と摺動可能に係合する第２係合部が設けられている第２内周壁と、を有し、前記第１ガイド部と前記第１係合部とのクリアランスよりも、前記第２ガイド部と前記第２係合部とのクリアランスの方が小さい。
【０００９】
これにより、操作体及びケーシングを含めたスイッチ外形が大きくなっても、第２ガイド部と第２係合部はスイッチの内方に位置するため、寸法変化による影響を小さくすることができ、操作体を操作するときに、がたつきが生じにくく、円滑に操作することができる。
【００１０】
本発明の上記目的、他の目的、特徴、及び利点は、添付図面参照の下、以下の好適な実施形態の詳細な説明から明らかにされる。
【発明の効果】
【００１１】
本発明に係るプッシュスイッチによれば、操作体及びケーシングを含めたスイッチ外形が大きくなっても、操作体を操作するときに、がたつきが生じにくく、円滑に操作することができる。
【図面の簡単な説明】
【００１２】
【図１】図１は、本実施の形態１に係るプッシュスイッチの概略構成を模式的に示す斜視図である。
【図２】図２は、図１に示すプッシュスイッチの分解斜視図である。
【図３】図３は、図１に示すプッシュスイッチの縦断面図である。
【図４】図４は、図１に示すプッシュスイッチの横断面図である。
【図５】図５は、図１に示すプッシュスイッチの水平断面図である。
【図６】図６は、図４に示すプッシュスイッチにおけるＡで示される領域の拡大図である。
【図７】図７は、図１に示すプッシュスイッチのケーシングの正面図である。
【図８】図８は、図１に示すプッシュスイッチの操作体を背面側から見た斜視図である。
【発明を実施するための形態】
【００１３】
以下、本発明の実施の形態について、図面を参照しながら説明する。なお、全ての図面において、同一又は相当部分には同一符号を付し、重複する説明は省略する場合がある。また、全ての図面において、本発明を説明するための構成要素を抜粋して図示しており、その他の構成要素については図示を省略する場合がある。さらに、以下の実施の形態によって本発明が限定されるものではない。
【００１４】
（実施の形態１）
本実施の形態１に係るプッシュスイッチは、光源を収納するように構成されているケーシングと、ケーシングに対して進退可能に構成され、光源により、背面側から透過照明される操作体と、を備え、ケーシングは、光源を囲むように形成されている第１外周壁と、第１外周壁の内方に位置するように形成されている第１内周壁と、第１外周壁に設けられている第１ガイド部と、第１内周壁に設けられている第２ガイド部と、を有し、操作体は、第１ガイド部と摺動可能に係合する第１係合部が設けられている第２外周壁と、第２ガイド部と摺動可能に係合する第２係合部が設けられている第２内周壁と、を有し、第１ガイド部と第１係合部とのクリアランスよりも、第２ガイド部と第２係合部とのクリアランスの方が小さい。
【００１５】
また、本実施の形態１に係るプッシュスイッチでは、第２内周壁内に導光体が嵌入され、導光体の端部に対向して、光源が配置されていてもよい。
【００１６】
また、本実施の形態１に係るプッシュスイッチでは、第２ガイド部と第２係合部は、それぞれ、リブで構成されていて、互いに対向するように配設されていてもよい。
【００１７】
また、本実施の形態１に係るプッシュスイッチでは、第２ガイド部はケーシングの底面から操作体の進退方向に延伸し、第２ガイド部及び第２係合部の少なくとも一方には、潤滑剤が塗布されていて、ケーシングの底面における第２ガイド部の周縁部には、凹部が形成されていてもよい。
【００１８】
また、本実施の形態１に係るプッシュスイッチでは、光源は第１光源と第２光源で構成され、第１光源は第２内周壁に囲まれる領域に対向して配置され、第２光源は、第１内周壁又は第２内周壁により、第１光源と光学的に隔離するように配置されていてもよい。
【００１９】
さらに、本実施の形態１に係るプッシュスイッチでは、第１内周壁には、２つ以上の第２ガイド部が設けられていて、一対の第２ガイド部が、ケーシングの長手方向に沿って並ぶように配設されていてもよい。
【００２０】
以下、本実施の形態１に係るプッシュスイッチの一例について、図１〜図８を参照しながら説明する。
【００２１】
［プッシュスイッチの構成］
図１は、本実施の形態１に係るプッシュスイッチの概略構成を模式的に示す斜視図である。図２は、図１に示すプッシュスイッチの分解斜視図である。
【００２２】
また、図３は、図１に示すプッシュスイッチの縦断面図であり、図４は、図１に示すプッシュスイッチの横断面図であり、図５は、図１に示すプッシュスイッチの水平断面図である。図６は、図４に示すプッシュスイッチにおけるＡで示される領域の拡大図である。
【００２３】
さらに、図７は、図１に示すプッシュスイッチのケーシングの正面図であり、図８は、図１に示すプッシュスイッチの操作体を背面側から見た斜視図である。
【００２４】
なお、図１〜図８においては、プッシュスイッチにおける上下方向、前後方向、及び左右方向を図における上下方向、前後方向、及び左右方向として表している。
【００２５】
図１〜図８に示すように、本実施の形態１に係るプッシュスイッチ１００は、ケーシング１、導光体２、操作体３、基板４、スイッチ素子５、６、第１光源７、及び第２光源８を備えていて、操作体３を押圧することにより、スイッチ素子５、６のＯＮ／ＯＦＦが切り替えられ、第１光源７が発光するように構成されている。
【００２６】
なお、第２光源８は、本実施の形態１においては、図示されないスイッチ素子のＯＮ／ＯＦＦにより、発光するように構成されているが、スイッチ素子５、６のＯＮ／ＯＦＦにより、発光するように構成されていてもよい。また、第１光源７と第２光源８は、それぞれ異なる色を発光するように構成されていてもよく、同じ色を発光するように構成されていてもよい。さらに、第１光源７及び第２光源８は、ＬＥＤで構成されていてもよく、電球で構成されていてもよい。
【００２７】
ケーシング１は、基部１０、第１外周壁１１、第１内周壁１２、第１ガイド部１３Ａ〜１３Ｄ、及び第２ガイド部１４Ａ、１４Ｂを備えている（図７参照）。ケーシング１の基部１０の下面には、基板４が配置されている。基板４の上面の適所には、スイッチ素子５、６、第１光源７、及び第２光源８が配置されている。ケーシング１は遮光性の色調あるいは材質の合成樹脂で構成されている。
【００２８】
第１外周壁１１は、プッシュスイッチ１００の上方から見て、左右方向の寸法が前後方向の寸法よりも大きい横長の略矩形状に形成されていて、ケーシング１の底面である、基部１０の上面に立設されている。第１外周壁１１の４辺の外周面には、それぞれ、溝状の第１ガイド部１３Ａ〜１３Ｄが、上下方向に延びるように形成されている。第１ガイド部１３Ａ〜１３Ｄは、後述する操作体３の第１係合部３３Ａ〜３３Ｄと係合（摺動）するように構成されている。
【００２９】
なお、本実施の形態１においては、第１ガイド部１３Ａ〜１３Ｄが溝状に形成されている形態を採用したが、これに限定されず、第１ガイド部１３Ａ〜１３Ｄがリブで構成されている形態を採用してもよい。また、第１ガイド部１３Ａ〜１３Ｄのうち、いずれかのガイド部が溝状に形成されていて、その他のガイド部がリブで構成されている形態を採用してもよい。
【００３０】
また、基部１０の上面には、第１外周壁１１の内方に位置するように、第１内周壁１２が立設されている。第１内周壁１２は、内壁部１２Ａ〜１２Ｃで構成されている。内壁部１２Ａ及び内壁部１２Ｂは、それぞれ、前側に位置する第１外周壁１１の一辺の内面から後方に延びるように形成されている。内壁部１２Ｃは、左右方向に延びるように形成されていて、内壁部１２Ａ及び内壁部１２Ｂの後端を接続している。なお、内壁部１２Ｃは、第１外周壁１１の内部空間を前後方向で区画する仕切壁１５の一部で構成されている。
【００３１】
内壁部１２Ａと内壁部１２Ｂの互いに対向する内面には、それぞれ、第２ガイド部１４Ａと第２ガイド部１４Ｂがケーシング１の長手方向（ここでは、左右方向）に沿って並ぶように配設されている。ここで、「ケーシング１の長手方向に沿って並ぶ」とは、２つの第２ガイド部１４Ａ、１４Ｂが、プッシュスイッチ１００の上下方向から見て、短辺側の一対の内壁部のそれぞれに配設されていることをいい、プッシュスイッチ１００の左右方向から見て、第２ガイド部１４Ａと第２ガイド部１４Ｂが互いに重なるように配設されている状態と、第２ガイド部１４Ａと第２ガイド部１４Ｂが互いに重ならないように配設されている状態と、を含む。
【００３２】
第２ガイド部１４Ａ、１４Ｂは、それぞれ、上下方向に延びるリブで構成されていて、後述する操作体３の第２係合部３４Ａ、３４Ｂと係合（摺動）するように構成されている。また、ケーシング１の底面である基部１０の上面において第２ガイド部１４Ａ、１４Ｂが設けられている部分の周縁部には、凹部１６Ａ、１６Ｂが設けられている。凹部１６Ａ、１６Ｂは、正面視にて、それぞれ、第２ガイド部１４Ａ、１４Ｂを囲むように、Ｕ字状に形成されている。
【００３３】
なお、本実施の形態１においては、第２ガイド部１４Ａ、１４Ｂが、リブで構成されている形態を採用したが、これに限定されず、第２ガイド部１４Ａ、１４Ｂが、溝状に形成されている形態を採用してもよい。また、第２ガイド部１４Ａ、１４Ｂのうち、一方のガイド部がリブで構成され、他方のガイド部が溝状に形成されている形態を採用してもよい。
【００３４】
また、本実施の形態１においては、第２ガイド部が２つ設けられている形態を採用したが、これに限定されず、第２ガイド部が２つ以上設けられていれば、例えば、第２ガイド部が４つ設けられている形態、又は６つ設けられている形態等を採用してもよい。この場合、第２ガイド部を内壁部１２Ａと内壁部１２Ｂのそれぞれに設けられている形態を採用してもよく、内壁部１２Ａと内壁部１２Ｂ、及び内壁部１２Ｃと当該内壁部１２Ｃと対向する第１外周壁１１のそれぞれに設けられている形態を採用してもよい。
【００３５】
また、凹部１６Ａ、１６ＢがＵ字状に形成されている形態を採用したが、これに限定されず、凹部１６Ａ、１６Ｂは、正面視の形状は任意である。例えば、凹部１６Ａ、１６Ｂは、Ｉ字状に形成されていてもよく、Ｔ字状に形成されていてもよい。
【００３６】
基部１０における第１内周壁１２で囲まれる部分には、第１光源７を露出させるための貫通孔１７が設けられている。また、基部１０における内壁部１２Ｃ（仕切壁１５）を挟んで、貫通孔１７の反対側の部分（後方側の部分）には、第２光源８を露出させるための貫通孔１８が設けられている。
【００３７】
操作体３は、操作部３０、第２外周壁３１、第２内周壁３２、第１係合部３３Ａ〜３３Ｄ、第２係合部３４Ａ、３４Ｂ、表示意匠部３５、及びインジケータ部３６を備えている（図８参照）。操作部３０は、プッシュスイッチ１００の上方から見て、略台形状に形成されていて、その上面（正面）には、表示意匠部３５及びインジケータ部３６が設けられている。
【００３８】
表示意匠部３５は、第２光源８から照射された光により、絵、文字等を表示する領域であり、例えば、空間あるいは半透明又は乳白色の合成樹脂で構成されている。また、インジケータ部３６は、導光体２の上端部を挿通させるための貫通孔で構成されている。なお、操作体３における表示意匠部３５を含む操作部３０の領域は、例えば、半透明又は乳白色等の透光性の合成樹脂で構成されている。また、第２外周壁３１及び第２内周壁３２を含む操作部３０の下部は、例えば、黒色等の暗色の遮光性の合成樹脂で構成されている。また、操作体３は、例えば、２色成形により製造されてもよい。
【００３９】
操作部３０における下面の適所（正確には、スイッチ素子５、６と対向する部分）には、操作体３が操作されたときに、スイッチ素子５、６を押圧するための押圧部３７、３８が設けられている。なお、本実施の形態１においては、スイッチ素子を２つ設ける形態を採用したが、これに限定されず、スイッチ素子を１つ設ける形態を採用してもよく、３つ以上のスイッチ素子を設ける形態を採用してもよい。
【００４０】
操作部３０の下面周縁部には、第２外周壁３１が下方に延びるように設けられている。第２外周壁３１は、ケーシング１の第１外周壁１１を囲むように形成されている。第２外周壁３１の４辺の内周面には、それぞれ、第１係合部３３Ａ〜３３Ｄが、上下方向に延びるように形成されている。第１係合部３３Ａ〜３３Ｄは、それぞれ、リブで構成されていて、第１外周壁１１の第１ガイド部１３Ａ〜１３Ｄと摺動するように構成されている。これにより、操作体３を上下方向に円滑に移動させることができる。
【００４１】
なお、本実施の形態１においては、第１係合部３３Ａ〜３３Ｄがリブで構成されている形態を採用したが、これに限定されない。第１ガイド部１３Ａ〜１３Ｄがリブで構成されている場合には、第１係合部３３Ａ〜３３Ｄは、溝状に形成されていてもよい。
【００４２】
また、操作部３０の下面には、第２外周壁３１よりも内方に位置するように、第２内周壁３２が、下方に延びるように設けられている。第２内周壁３２は、プッシュスイッチ１００の上下方向から見て、略矩形状に形成されていて、第１内周壁１２よりも内方に位置するように配置されている。
【００４３】
第２内周壁３２は、前後方向に延びて、左右方向において互いに対向する、一対の内壁部３２Ａ、３２Ｂと、左右方向に延びて、前後方向において互いに対向する、一対の内壁部３２Ｃ、３２Ｄと、から構成されている。より詳細には、内壁部３２Ａが左側に配置されていて、内壁部３２Ｂが右側に配置されている。また、内壁部３２Ｃが、前側に配置されていて、内壁部３２Ｄが後側に配置されている。
【００４４】
内壁部３２Ｃの下部には、貫通孔３２Ｅが設けられている。そして、第２内周壁３２の内部空間には、導光体２が嵌入されていて、導光体２の爪部２０が貫通孔３２Ｅに嵌入されることにより、導光体２が第２内周壁３２に固定される。なお、導光体２は、透明の合成樹脂で構成されている。
【００４５】
また、第２内周壁３２の内壁部３２Ａの外面には、内壁部１２Ａの第２ガイド部１４Ａと対向するように、第２係合部３４Ａが設けられている。同様に、内壁部３２Ｂの外面には、内壁部１２Ｂの第２ガイド部１４Ｂと対向するように、第２係合部３４Ｂが設けられている。第２係合部３４Ａ、３４Ｂは、リブで構成されていてもよく、溝状に形成されていてもよい。
【００４６】
なお、本実施の形態１においては、第２係合部３４Ａ、３４Ｂは、それぞれ、内壁部３２Ａ、３２Ｂの後側に配設されている形態を採用したが、これに限定されず、内壁部３２Ａ、３２Ｂの中央部分に配設されている形態を採用してもよく、内壁部３２Ａ、３２Ｂの前側に配設されている形態を採用してもよい。
【００４７】
第２ガイド部１４Ａ、１４Ｂ及び第２係合部３４Ａ、３４Ｂのうち、少なくともいずれか１つの部分には、グリス等の潤滑剤が塗布されている。これにより、第２ガイド部１４Ａと第２係合部３４Ａとの摺動、及び第２ガイド部１４Ｂと第２係合部３４Ｂとの摺動をより円滑に行うことができる。
【００４８】
また、第２ガイド部１４Ａ、１４Ｂ及び第２係合部３４Ａ、３４Ｂは、それぞれ、第１ガイド部１３Ａ〜１３Ｄ及び第１係合部３３Ａ〜３３Ｄに比して、内方に位置している。このため、第２ガイド部１４Ａ、１４Ｂ及び第２係合部３４Ａ、３４Ｂは、第１ガイド部１３Ａ〜１３Ｄ及び第１係合部３３Ａ〜３３Ｄに比して、経時変化や周囲環境による寸法変化が小さくなる（図６参照）。
【００４９】
このため、第２ガイド部１４Ａと第２係合部３４Ａとの間のクリアランス、及び第２ガイド部１４Ｂと第２係合部３４Ｂとの間のクリアランスを、第１ガイド部１３Ａ〜１３Ｄと第１係合部３３Ａ〜３３Ｄのそれぞれとの間のクリアランスよりも小さくすることができる。これにより、プッシュスイッチ１００の操作体３及びケーシング１を含むスイッチ外形が大型化しても、従来のプッシュスイッチに比して、操作体３を操作するときに、がたつきが生じにくく、円滑に操作することができる。
【００５０】
［プッシュスイッチの動作及び作用効果］
次に、本実施の形態１に係るプッシュスイッチ１００の動作及びその作用効果について、図１〜図８を参照しながら説明する。
【００５１】
操作者が直接、又は図示されないアクチュエータ等が、プッシュスイッチ１００の操作体３を下方に押圧すると、操作体３は、第１係合部３３Ａ〜３３Ｄが第１ガイド部１３Ａ〜１３Ｄに沿って摺動し、第２係合部３４Ａ、３４Ｂが第２ガイド部１４Ａ、１４Ｂに沿って摺動しながら、下方に移動する。
【００５２】
このとき、本実施の形態１に係るプッシュスイッチ１００では、上述したように、第２ガイド部１４Ａ、１４Ｂと第２係合部３４Ａ、３４Ｂとの間のクリアランスが、第１ガイド部１３Ａ〜１３Ｄと第１係合部３３Ａ〜３３Ｄとの間のクリアランスよりも小さいため、従来のプッシュスイッチに比して、操作体３を操作するときに、がたつきが生じにくく、円滑に操作することができる。
【００５３】
なお、操作体３が左右方向に大きく傾くように比較的大きな力で操作された場合には、第２内周壁３２と第１内周壁１２との間に大きな力が付加され、これらが変形した時、第１ガイド部１３Ａ〜１３Ｄと第１係合部３３Ａ〜３３Ｄとのクリアランスの範囲内に変形は規制される。このことによって、第２内周壁３２又は第１内周壁１２が破損することを防ぐことができる。
【００５４】
また、本実施の形態１に係るプッシュスイッチ１００では、第２ガイド部１４Ａ、１４Ｂ及び第２係合部３４Ａ、３４Ｂのうち、少なくともいずれか１つの部分には、グリス等の潤滑剤が塗布されているため、操作体３の操作をより円滑にすることができる。
【００５５】
さらに、本実施の形態１に係るプッシュスイッチ１００では、基部１０の上面における第２ガイド部１４Ａ、１４Ｂ近傍には、凹部１６Ａ、１６Ｂが設けられている。このため、操作体３の上下方向への操作によって、塗布された潤滑剤が下方に移動した場合には、この移動した潤滑剤を凹部１６Ａ、１６Ｂに貯めることができる。これにより、潤滑剤が、貫通穴１７を通って下方の基板４に流出することを抑制することができる。
【００５６】
そして、操作体３の押圧部３７、３８が、スイッチ素子５、６を押圧すると、スイッチ素子５、６がＯＮの状態となり、第１光源７が発光して、インジケータ部３６が光る。このとき、本実施の形態１に係るプッシュスイッチ１００では、第１光源７を囲むように、第１内周壁１２と第２内周壁３２が配置されているため、第１光源７から照射された光が、第１内周壁１２の内部空間から外方に漏れることを抑制することができる。
【００５７】
すなわち、第２光源８は、第１内周壁１２又は第２内周壁３２により、第１光源７と光学的に隔離するように配置されているため、第１光源７と第２光源８から照射された各光がスイッチ内で相互に漏れることを抑制することができる。
【００５８】
次に、操作者等が、操作体３の押圧を解除すると、スイッチ素子５、６の被押圧部の上方への復帰力、または、図示されない弾性部材の弾性作用により、操作体３が上方に付勢され、操作体３が元の位置に戻る。
【００５９】
上記説明から、当業者にとっては、本発明の多くの改良及び他の実施形態が明らかである。したがって、上記説明は、例示としてのみ解釈されるべきであり、本発明を実行する最良の態様を当業者に教示する目的で提供されたものである。本発明の要旨を逸脱することなく、その構造及び／又は機能の詳細を実質的に変更できる。また、上記実施形態に開示されている複数の構成要素の適宜な組合せにより種々の発明を形成できる。
【産業上の利用可能性】
【００６０】
本発明に係るプッシュスイッチは、操作体及びケーシングを含むスイッチ外形が大きくなっても、操作体を操作するときに、がたつきが生じにくく、円滑に操作することができるため、有用である。
【符号の説明】
【００６１】
１  ケーシング
２  導光体
３  操作体
４  基板
５  スイッチ素子
６  スイッチ素子
７  第１光源
８  第２光源
１０  基部
１１  第１外周壁
１２  第１内周壁
１２Ａ  内壁部
１２Ｂ  内壁部
１２Ｃ  内壁部
１３Ａ  第１ガイド部
１３Ｂ  第１ガイド部
１３Ｃ  第１ガイド部
１３Ｄ  第１ガイド部
１４Ａ  第２ガイド部
１４Ｂ  第２ガイド部
１５  仕切壁
１６Ａ  凹部
１６Ｂ  凹部
１７  貫通孔
１８  貫通孔
２０  爪部
３０  操作部
３１  第２外周壁
３２  第２内周壁
３２Ａ  内壁部
３２Ｂ  内壁部
３２Ｃ  内壁部
３２Ｄ  内壁部
３２Ｅ  貫通孔
３３Ａ  第１係合部
３３Ｂ  第１係合部
３３Ｃ  第１係合部
３３Ｄ  第１係合部
３４Ａ  第２係合部
３４Ｂ  第２係合部
３５  表示意匠部
３６  インジケータ部
３７  押圧部
１００  プッシュスイッチ
【図１】
0006643717.tif 000002
【図２】
0006643717.tif 000003
【図３】
0006643717.tif 000004
【図４】
0006643717.tif 000005
【図５】
0006643717.tif 000006
【図６】
0006643717.tif 000007
【図７】
0006643717.tif 000008
【図８】
0006643717.tif 000009